(57)【要約】【課題】下着としての用途に使用することができ、衿部に機能を持たせることができるシャツを提供する。【解決手段】前身頃１２の上端にある前衿ぐり部１２ａと、後身頃１４の上端にある後衿ぐり部１４ａとによって首廻り部１８が構成され、首廻り部１８の全周には、前衿ぐり部１２ａと後衿ぐり部１４ａとにそれぞれ重ね合わされて第１衿２０が縫着され、さらに、首廻り部１８の後部において、第１衿２０よりもその最大高さ寸法が大きい第２衿２２が、後衿ぐり部１４ａと前衿ぐり部１２ａの一部に設けられ、第２衿２２の高さ寸法が前衿ぐり部１２ａに設けられた部分において、第２衿の端に向かうに従って漸次小さくなっており、第２衿２２の各端は、前衿ぐり部１２ａの途中部分に位置付けられる。【選択図】図１
2011122281.tif 000002
【特許請求の範囲】
【請求項１】
前身頃の上端にある前衿ぐり部と、後身頃の上端にある後衿ぐり部とによって首廻り部が構成され、首廻り部の全周には、前衿ぐり部と後衿ぐり部とにそれぞれ重ね合わされて第１衿が縫着された、シャツにおいて、
首廻り部の後部において、第１衿よりもその最大高さ寸法が大きい第２衿が、後衿ぐり部と前衿ぐり部の一部に設けられ、第２衿の高さ寸法が前衿ぐり部に設けられた部分において、第２衿の端に向かうに従って漸次小さくなっており、第２衿の各端は、前衿ぐり部の途中部分に位置付けられることを特徴とするシャツ。
【請求項２】
第２衿は、第１衿の内側に設けられることを特徴とする請求項１記載のシャツ。
【請求項３】
非着用状態で正面から見て、前記第２衿の前衿ぐり部に設けられた部分は、後衿ぐり部に設けられた部分に対して折り返されて、三角形状部を構成することを特徴とする請求項１記載のシャツ。
【請求項４】
第２衿は、後衿ぐり部に設けられる中央部と、中央部を挾む両側にあって前衿ぐり部に設けられる端部とを有しており、各端部の輪郭線またはその接線が、第２衿の上辺またはその延長線となす角度が２０〜３０度であることを特徴とする請求項３に記載のシャツ。
【請求項５】
第２衿の後衿ぐり部に設けられた部分の内側には、内側テープが第２衿と重ね合わされて縫着されており、内側テープの両端部は、前身頃の上端にある肩部と後身頃の上端にある肩部に縫着されることを特徴とする請求項１ないし４のいずれか１項に記載のシャツ。
【請求項６】
第１衿の後下がりが、０ｃｍ以上１．６ｃｍ以下であることを特徴とする請求項１ないし５のいずれか１項に記載のシャツ。
【請求項７】
第２衿の最大高さが、第１衿の高さの１．５倍〜４倍であることを特徴とする請求項１ないし６のいずれか１項に記載のシャツ。
【発明の詳細な説明】
【技術分野】
【０００１】
本発明は、下着用シャツ、Ｔシャツといったシャツに関し、特に、後衿部分の高さを高くしたシャツに関する。
【背景技術】
【０００２】
従来の下着用シャツやＴシャツといったシャツにおいては、首廻りにテープ生地が縫着されて衿部が構成されており、この衿部の高さは極力低く抑えられている。即ち、従来の一般的な下着用シャツやＴシャツといったシャツにおいては、衿部に特別な機能を持たせるという思想はない。
【０００３】
一方、衿の高さに工夫を凝らすことで機能を持たせるようにしたシャツまたは衣類として、例えば、特許文献１及び特許文献２に提案されたものが知られている。
【０００４】
特許文献１では、モック襟のシャツにおいて、襟の後部を高くし、前部に向かって次第に低くして、肩上部における前身頃と後身頃との左右の縫合線及び襟と後身頃の上縁との縫合線を裏面から一連に押さえるようにメリヤステープを環縫により縫着補強しており、これによって、外観的に美しくして、襟の後部を日光の直射から守り、保温、洋服や襟の汚れを防ぐようにしている。
【０００５】
特許文献２では、首廻りにＶ衿が形成された衣服において、オープンカラー状の衿をＶ衿の周囲に設けたヘムと身頃の間に挟み込んだ状態で衿の周縁に沿って縫着しており、オープンカラー状の衿を衣服の外側へ出したり、内側に収納したりするという操作で、一着の衣服を異なるデザインの衣服として使用することができるようになっている。
【先行技術文献】
【特許文献】
【０００６】
【特許文献１】実開昭４８−４８８０５号公報
【特許文献２】実開平２−１７５０１号公報
【発明の概要】
【発明が解決しようとする課題】
【０００７】
しかしながら、特許文献１に記載されたモック襟のシャツや、特許文献２に記載されたオープンカラー状の衿を備えた衣類は、アウター用のシャツとして着用することが前提となっており、下着用として着用しようとすると、衿が邪魔になったり、外側から見えて美観が悪くなったりするため、好ましくない。
【０００８】
このようにアウターに影響を与えることを避けるため、従来の下着用としてのシャツの衿部に機能を持たせることは、全く考慮されていないのが現状である。
【０００９】
本発明はかかる課題に鑑みなされたもので、下着としての用途に使用することができ、その場合であっても、衿部に機能を持たせることができるシャツを提供することをその目的とする。
【課題を解決するための手段】
【００１０】
前述した目的を達成するために、請求項１記載の発明は、前身頃の上端にある前衿ぐり部と、後身頃の上端にある後衿ぐり部とによって首廻り部が構成され、首廻り部の全周には、前衿ぐり部と後衿ぐり部とにそれぞれ重ね合わされて第１衿が縫着された、シャツにおいて、
首廻り部の後部において、第１衿よりもその最大高さ寸法が大きい第２衿が、後衿ぐり部と前衿ぐり部の一部に設けられ、第２衿の高さ寸法が前衿ぐり部に設けられた部分において、第２衿の端に向かうに従って漸次小さくなっており、第２衿の各端は、前衿ぐり部の途中部分に位置付けられることを特徴とする。
【００１１】
請求項２記載の発明は、請求項１記載のものにおいて、第２衿が、第１衿の内側に設けられることを特徴とする。
【００１２】
請求項３記載の発明は、請求項１記載のものにおいて、非着用状態で正面から見て、前記第２衿の前衿ぐり部に設けられた部分は、後衿ぐり部に設けられた部分に対して折り返されて、三角形状部を構成することを特徴とする。
【００１３】
請求項４記載の発明は、請求項３に記載のものにおいて、第２衿が、後衿ぐり部に設けられる中央部と、中央部を挾む両側にあって前衿ぐり部に設けられる端部とを有しており、各端部の輪郭線またはその接線が、第２衿の上辺またはその延長線となす角度が２０〜３０度であることを特徴とする。
【００１４】
請求項５記載の発明は、請求項１ないし４のいずれか１項に記載のものにおいて、第２衿の後衿ぐり部に設けられた部分の内側には、内側テープが第２衿と重ね合わされて縫着されており、内側テープの両端部は、前身頃の上端にある肩部と後身頃の上端にある肩部に縫着されることを特徴とする。
【００１５】
請求項６記載の発明は、請求項１ないし５のいずれか１項に記載のものにおいて、第１衿の後下がりが、０ｃｍ以上１．６ｃｍ以下であることを特徴とする。
【００１６】
請求項７記載の発明は、請求項１ないし６のいずれか１項に記載のものにおいて、第２衿の最大高さが、第１衿の高さの１．５倍〜４倍であることを特徴とする。
【発明の効果】
【００１７】
本発明によれば、首廻り部の後部において、第１衿よりもその最大高さ寸法が大きい第２衿が後衿ぐり部と前衿ぐり部の一部に設けられ、第２衿の高さ寸法が前衿ぐり部に設けられた部分において第２衿の端に向かうに従って漸次小さくなっており、第２衿の各端は、前衿ぐり部の途中部分に位置付けられるため、下着として着用したときに、シャツの衿はアウターの衣服によって隠れて、外部から見えにくくなり、美観を悪化させることはない。また第２衿がアウターの衣服に邪魔になることはない。
【００１８】
そして、第２衿が着用者の首の後部に当たることで、従来、ワイシャツ等のアウターの衣服の衿に付着していた皮脂汚れを第２衿が吸着し、アウターの衣服の衿汚れを防止することができ、アウターの衣服の洗濯の負担を軽減し、アウターの衣服を長持ちさせることができる。このように第２衿が防汚機能を発揮することができる。
【００１９】
また、首筋から流れる汗を第２衿が吸収することで、アウターの衣服の衿を濡らさないようにして、べた付きを減らすことができ、着用者が夏季にも快適に過ごすことができる。このように第２衿が吸汗機能を発揮することができる。
【００２０】
また、気温が低い季節には、第２衿が着用者の首の後部に当たるために、着用者の首を暖めることができる。このように第２衿が保温機能を発揮することができる。
【００２１】
第２衿を第１衿の内側に設けることで、第２衿の後衿ぐり部に設けられた部分を起立しやすい状態にすることができ、第２衿が起立して着用者の首に確実に密着することができる。
【００２２】
第２衿の前衿ぐり部に設けられた部分を、後衿ぐり部に設けられた部分に対して折り返し、三角形状部を構成することで、第２衿の後衿ぐり部に設けられた部分を起立しやすい状態にすることができる。
【００２３】
また、第２衿の両端部の先端の輪郭線またはその接線の、第２衿の上辺に対する傾斜角を２０〜３０度とすることにより、三角形状部を好適に構成することができる。
【００２４】
また、肩部まで延びる内側テープを設けることにより、第２衿の後衿ぐり部に設けられた部分を起立しやすい状態にすることができる。
【００２５】
第１衿の後下がりを０ｃｍ以上１．６ｃｍ以下の従来よりも小さい寸法とすることにより、第２衿が着用者の首にフィットしやすい状態とすることができる。
【００２６】
第２衿の最大高さを、第１衿の高さの１．５倍〜４倍とすることにより、アウターの衣服に影響を与えず、且つ第２衿の機能を十分に発揮させることができる。
【図面の簡単な説明】
【００２７】
【図１】本発明によるシャツの正面図である。
【図２】図１の要部拡大正面図である。
【図３】第２衿の展開図である。
【図４Ａ】本発明によるシャツの要部背面図である。
【図４Ｂ】従来のシャツの要部背面図である。
【図５】第２衿の取付状態を表す図である。
【図６】第２衿の取付状態を表す要部拡大図である。
【図７Ａ】縫着により第２衿が結合される構成を表す断面図である。
【図７Ｂ】縫着により第２衿が結合される別の構成を表す断面図である。
【図８】本発明によるシャツをワイシャツと共に着用したときの要部正面図である。
【図９】本発明（左側）と従来（右側）の首廻り部の比較を表す平面図である。
【図１０Ａ】本発明のシャツの着用状態の首廻り部を表す図である。
【図１０Ｂ】従来のシャツの着用状態の首廻り部を表す図である。
【発明を実施するための形態】
【００２８】
以下、図面に基づいて本発明の実施形態を説明する。
図１は、本発明によるシャツの実施形態を表している。図において、本発明によるシャツ１０は、前身頃１２と、後身頃１４と、袖部１６、１６とを有しており、前身頃１２の上端の一部である前衿ぐり部１２ａと後身頃１４の上端の一部である後衿ぐり部１４ａによって首廻り部１８が構成される。前身頃１２、後身頃１４及び袖部１６は従来のシャツ１０に使用される任意の素材から構成することができ、典型的には、天竺編みまたはフライス編み等の綿生地から構成することができる。
【００２９】
図２に拡大して示したように、首廻り部１８を構成する前身頃１２の前衿ぐり部１２ａと後身頃１４の後衿ぐり部１４ａには、その全周に亘り、二つ折またはそれ以上に折られた第１衿２０の少なくとも一部が重ね合わされて、縫着されている。この第１衿２０は、従来の同種のタイプのシャツの衿部の高さ寸法とほぼ同じ高さ寸法を持ち、その高さ寸法は縫着された状態で１ｃｍ〜２ｃｍ程度と短く抑えられている。この第１衿２０は、典型的には、フライス編みまたはリブ編み等の伸縮性の高い綿生地から構成することができる。
【００３０】
さらに、本発明においては、首廻り部１８の後部において、第１衿２０とは別に第２衿２２が設けられる。第２衿２２は、後衿ぐり部１４ａから前衿ぐり部１２ａの一部にかけて第１衿２０の内側に、第１衿２０と共に取り付けられている。第２衿２２は、フライス編みまたはリブ編み等の伸縮性の高い任意の編み地の綿生地またはそれに類する生地から構成することができ、第１衿２０と同一の生地で構成されてもよいし、または異なる生地で構成されてもよい。また、発熱素材で構成されてもよい。
【００３１】
そして、第２衿２２は、後衿ぐり部１４ａにおいて、その最大高さ寸法が、第１衿２０よりも大きく、第１衿２０よりも上方に突出しており、且つ、前衿ぐり部１２ａにおいては、その高さ寸法が漸次、小さくなっている。第２衿２２の最大高さ寸法（図２のＡ寸法）は、３〜４ｃｍとするとよく、第１衿２０の１．５倍から４倍程度とするとよい。
【００３２】
第２衿２２は、図３の展開図で示したように、後衿ぐり部１４ａに取り付けられる中央部２２ａと、中央部２２ａを挾む両側にあって前衿ぐり部１２ａに取り付けられる部分となる端部２２ｂ、２２ｂとを備える。中央部２２ａは縦方向に膨らんでおり、中央部２２ａの輪郭は、後衿ぐり部１４ａの輪郭に合致したものとなっており、後衿ぐり部１４ａに取り付けられたときに、高さ寸法はほぼ一定となるように設定されている。端部２２ｂ、２２ｂは、第２衿２２の端に向かうに従って縦寸法が漸次小さくなっており、その輪郭は、中央部２２ａから連続しているものの、前衿ぐり部１２ａの輪郭とは一致していない。
【００３３】
図３の例では、第２衿２２の中央部２２ａの下側輪郭と、端部２２ｂの下側輪郭との曲率はほぼ同じとなっているが、端部２２ｂの下側輪郭の曲率をより大きくすることも可能であり、これにより端部２２ｂの幅寸法を短くすることもできる。
【００３４】
第２衿２２は、折線２２ｃにおいて二つ折りされて（図３（ｂ））、折線２２ｃが上辺となるように後衿ぐり部１４ａと前衿ぐり部１２ａに縫着される。
【００３５】
好ましくは、第２衿２２単独での縦寸法（図３のＢ寸法）は、６〜９ｃｍ、幅寸法（図３のＣ寸法）は、シャツサイズに応じて、２２〜３０ｃｍ（Ｍサイズ）、２３〜３１ｃｍ（Ｌサイズ）、２４〜３２ｃｍ（ＬＬサイズ）、２５〜３３ｃｍ（３Ｌサイズ）、２６〜３４ｃｍ（４Ｌサイズ）、２７〜３５ｃｍ（５Ｌサイズ）とするとよい。また、端部２２ｂの先端の輪郭線またはその接線と折線２２ｃ（即ち第２衿の上辺）またはその延長線との成す角度（図３の角度Ｄ）は、２０〜３０度程度とするとよい。
【００３６】
図４に示したように、第２衿２２の中央部２２ａの幅に対応する第１衿２０の天巾（図４のＥ寸法）は、シャツサイズに応じて、Ｖ首タイプの場合、１２〜１４ｃｍ（Ｍサイズ）、１２．５〜１５ｃｍ（Ｌサイズ）、１３〜１６ｃｍ（ＬＬサイズ）、１３．５〜１７ｃｍ（３Ｌサイズ）、１４〜１８ｃｍ（４Ｌサイズ）、１４．５〜１９ｃｍ（５Ｌサイズ）程度となっている。
【００３７】
これに対して、後衿ぐり部１４ａ及び第１衿２０の後下がり（図４ＡのＦ寸法）は、第２衿２２のない従来のシャツの後下がり（図４ＢのＦ寸法）よりも小さくなっており、従来のシャツが１．７ｃｍ以上となっているのに対して、本発明においては、０ｃｍ以上１．６ｃｍ以下、好ましくは、０．４〜１．５ｃｍの範囲となっている。
【００３８】
そして、図５に示したように、第２衿２２の中央部２２ａは、好ましくはその内側に設けられる内側テープ２４と共に第１衿２０及び後衿ぐり部１４ａに縫着されて結合される。この場合、図７Ａまたは図７Ｂに示すような縫着により、第２衿２２、第１衿２０、内側テープ２４及び後衿ぐり部１４ａを互いに結合することができる。または、図示した以外の任意の手順または構成で縫着を行ってもよい。
【００３９】
内側テープ２４は、後衿ぐり部１４ａから、さらに、前身頃１２の上端の肩部１２ｂと後身頃１４の上端の肩部１４ｂの縫合部へと延びて縫着されている。この両肩部の方へと延びる内側テープ２４を設けて内側テープ２４によって第２衿２２を内側から押さえ、且つ第１衿２０によって外側から押さえることで、第２衿２２の内側及び外側への倒れを防止することができる。但し、内側テープ２４は必須ではなく、省略することも可能である。
【００４０】
また、第２衿２２の端部２２ｂ、２２ｂは、内側テープ２４から離れて、第１衿２０と前衿ぐり部１２ａに縫着される。第２衿２２の端は、前身頃１２の前衿ぐり部１２ａの途中部分に位置付けられ、図２に示す正面図の未着用状態において、第２衿２２の端部２２ｂ、２２ｂは、中央部２２ａに対して折り返されて三角形状部を構成して、中央部２２ａは起立した状態となっている。ここで、三角形状部とは数学的に厳密な意味での三角形状ではなく、３つの直線または曲率の小さな緩やかな３つの曲線に囲まれた形状を意味する。
【００４１】
第２衿２２の端部２２ｂの縦寸法が端に向かうに従って漸次小さくなっており、前述のように、端部２２ｂの輪郭は前衿ぐり部１２ａの輪郭と一致しておらず、前衿ぐり部１２ａの輪郭よりも内側に位置することから、第２衿２２を前衿ぐり部１２ａに縫着するときに、第２衿２２は外側に引っ張りながら縫着されることになり、図６に示したように、縫着後に、第２衿２２を矢印の外側方向に引っ張る力が残留する。この引っ張り力により第２衿２２の弛みを防ぎ、第２衿２２の中央部２２ａを起立する方向へと強制することができる。
【００４２】
以上のように構成される第２衿２２を備えたシャツ１０においては、着用したときに、着用者の首の後部に第２衿２２が当接する。第２衿２２は、後衿ぐり部１４ａにおいて高さ寸法が高いものの、前衿ぐり部１２ａにおいては前衿ぐり部１２ａの後部にのみ存在しているだけである。そのため、シャツ１０の上に別の衣服、例えば図８に示したように、ワイシャツ等のアウターの衣服３０を着用した場合に、シャツ１０の衿は隠れて、外部から見えることがないので、美観を悪化させることはなく、邪魔になることもない。
【００４３】
そして、第２衿２２が着用者の首の後部に当たることで、従来はワイシャツ等のアウターの衣服３０の衿に付着していた皮脂汚れを第２衿２２が吸着し、アウターの衣服３０の衿汚れを防止することができ、洗濯の負担を軽減し、アウターの衣服３０を長持ちさせることができる。このように第２衿２２が防汚機能を発揮することができる。
【００４４】
また、首筋から流れる汗を第２衿２２が吸収することで、ワイシャツ等のアウターの衣服３０の衿を濡らさないようにして、べた付きを減らすことができ、着用者が夏季にも快適に過ごすことができる。このように第２衿２２が吸汗機能を発揮することができる。
【００４５】
また、気温が低い季節には、第２衿２２が着用者の首の後部に当たるために、着用者の首を暖めることができる。このように第２衿２２が保温機能を発揮することができる。第２衿２２を発熱素材で構成した場合には、一層の保温機能を持たせることができる。
【００４６】
第２衿２２が起立する方向へと強制されているために、第２衿２２が倒れたりせずに着用者の首に密着することができる。さらには、第１衿２０の後下がりを従来のものより短く、１．６ｃｍ以下としており、図９に示すように、後衿ぐり部１４ａと前衿ぐり部１２ａの境界線と後衿ぐり部１４ａとの間に形成される面積が、従来のものよりも小さくなっているため、着用したときに、図１０Ａ及びＢに示すように第２衿２２が従来よりも着用者の首の後部にフィットする。このため、上記第２衿２２の防汚機能、吸汗機能、保温機能を十分に発揮させることができる。後下がりはあまり小さいと、却って着用時に違和感などが発生するが、０．４ｃｍ〜１．５ｃｍ程度であれば、違和感なく皺などの発生も抑えることができる。
【００４７】
尚、以上の実施形態では、シャツとして下着用シャツを前提として説明を行ったが、これに限るものではなく、着用者の好みに応じて後衿の特異性にデザイン性を見出して、これをアウター用のシャツとして着用することも可能である。その場合、首の後部の日焼け防止として機能させることができる。
【００４８】
また、第２衿と第１衿との色などを変えて、デザイン性をより持たせることも可能である。
【００４９】
また、第２衿の内部に芯材（接着芯）を挿入して、第２衿がより一層起立しやすい構成とすることも可能である。
【００５０】
また、以上の実施形態では、Ｖ首タイプのシャツについて例示したが、これに限るものではなく、丸首タイプまたはその他の任意の形状の任意のシャツについて、同様に本発明を適用することができる。
【符号の説明】
【００５１】
１０  シャツ
１２  前身頃
１２ａ  前衿ぐり部
１２ｂ  肩部
１４  後身頃
１４ａ  後衿ぐり部
１４ｂ  肩部
１８  首廻り部  
２０  第１衿
２２  第２衿
２２ａ  中央部
２２ｂ、２２ｂ  端部
２４  内側テープ
【図４Ｂ】
2011122281.tif 000003
【図９】
2011122281.tif 000004
【図１】
2011122281.tif 000005
【図２】
2011122281.tif 000006
【図３】
2011122281.tif 000007
【図４Ａ】
2011122281.tif 000008
【図５】
2011122281.tif 000009
【図６】
2011122281.tif 000010
【図７Ａ】
2011122281.tif 000011
【図７Ｂ】
2011122281.tif 000012
【図８】
2011122281.tif 000013
【図１０Ａ】
2011122281.tif 000014
【図１０Ｂ】
2011122281.tif 000015